(57)【要約】【課題】信機を用いた位置検出の対象者に装着される装着キットにおいて、対象者自身によって取り外される虞が小さく、対象者に対する取り付け及び取り外しが容易な装着キットを提供する。【解決手段】通信機を用いて位置が検索される対象者１２に装着される装着キット３０は、対象者１２の位置情報を取得して外部に発信する第１通信機３１と、第１通信機３１を収容する第１収容部４１が設けられて対象者１２に装着されるサポーター３３とを備えている。サポーター３３は生地によって帯状に形成され、その装着対象部位は足首又は腰である。【選択図】図２
2018190309.tif 000002
【特許請求の範囲】
【請求項１】
通信機を用いた位置検出の対象者に装着される装着キットであって、
前記対象者の位置を検出するための位置検出用情報を外部に発信する第１通信機と、
前記第１通信機を収容する第１収容部が設けられて前記対象者に装着されるサポーターとを備え、
前記サポーターは、生地によって帯状に形成され、装着対象部位が足首又は腰であることを特徴とする、装着キット。
【請求項２】
前記第１通信機で取得された位置検出用情報は、通信回線を介して、前記位置検出を実行する利用者の情報通信端末に送信され、
前記サポーターに設けられた第２収容部に収容される第２通信機をさらに備え、
前記第２通信機と前記情報通信端末とは、直接的に近距離無線通信を行い、互いの距離が離間した状態が検出された場合に、前記情報通信端末から前記利用者への報知が行われることを特徴とする、請求項１に記載の装着キット。
【請求項３】
前記サポーターの外面には、前記第１収容部に相当する第１ポケットと、前記第２収容部に相当する第２ポケット及び第３ポケットとが設けられ、
前記サポーターの長さ方向において、前記第２ポケットと前記第３ポケットが第１ポケット４１を挟んで配置されていることを特徴とする、請求項２に記載の装着キット。
【請求項４】
前記第１通信機は、ＧＰＳ受信機を含み、
前記第１収容部が前記サポーターの外面に設けられ、前記サポーターでは前記第１収容部内の収容空間よりも内側の厚みが８ｍｍ以上であることを特徴とする、請求項１乃至３の何れか１つに記載の装着キット。
【請求項５】
前記第１通信機は、自身の電力源としてバッテリーを備え、
前記第１通信機は、外部から情報取得要求を受けた場合に前記位置検出用情報を取得して発信すると共に、所定の時間間隔で前記位置検出用情報を自動的に取得して発信することを特徴とする、請求項１乃至４の何れか１つに記載の装着キット。
【請求項６】
前記サポーターは、前記第１収容部の形成部位が他の部位に比べて幅広に形成された足首用サポーターであることを特徴とする、請求項１乃至４の何れか１つに記載の装着キット。
【請求項７】
前記サポーターは、腰用サポーターであることを特徴とする、請求項１乃至６の何れか１つに記載の装着キット。
【請求項８】
通信機を用いた位置検出の対象者に装着されるサポーターであって、
前記対象者の位置を検出するための位置検出用情報を外部に発信する通信機を収容する収容部が設けられており、
生地によって帯状に形成され、装着対象部位が足首又は腰であることを特徴とする、サポーター。
【発明の詳細な説明】
【技術分野】
【０００１】
本発明は、徘徊する虞がある人などを対象者とした位置検出システムに用いる装着キット等に関する。
【背景技術】
【０００２】
高齢化社会において、認知症の患者の増加に伴い、徘徊する虞がある人が増加している。徘徊が起きた場合、徘徊者によっては行方不明になったり事故に遭遇したりする場合があり、徘徊は社会問題としてクローズアップされている。この問題に対し、徘徊する虞がある対象者に装着した通信機（ＧＰＳ受信機、ＲＦタグ、ＩＣタグなど）を用いて、対象者の位置を検出する位置検出システムが提案されている。
【０００３】
この種の位置検出システムでは、徘徊する虞がある対象者に装着された通信機が、対象者自身によって取り外された場合、対象者の位置を検出することができなくなる。特許文献１には、容易に取り外すことができないバンドを用いた位置情報発信器具が記載されている。この位置情報発信器具は、本体とバンドから構成され、本体の内部には、ＧＰＳ機能を有する無線データ送受信手段が搭載されている。バンドは、ゴム等の弾性体の素材からなる。
【先行技術文献】
【特許文献】
【０００４】
【特許文献１】特開２０１６−６２５６６号公報
【発明の概要】
【発明が解決しようとする課題】
【０００５】
ところで、従来は、バンドの先端の嵌合手段を装着するのは容易にできるが、これらを取り外すことはできないようになっている。対象者以外の人が位置情報発信器具を取り外す場合に、特殊工具によってバンドを切り落とす必要がある。すなわち、対象者自身によって位置情報発信器具が取り外される事態は生じにくいものの、位置情報発信器具を取り外したい時には特殊工具が必要であり、位置情報発信器具を容易に取り外すことができない。また、位置情報発信器具を取り外す場合には新しいバンドへの交換が必要にもなる。
【０００６】
本発明は、このような事情に鑑みてなされたものであり、通信機を用いた位置検出の対象者に装着される装着キットにおいて、対象者自身によって取り外される虞が小さく、対象者に対する取り付け及び取り外しが容易な装着キットを提供することを目的とする。
【課題を解決するための手段】
【０００７】
上述の課題を解決するべく、第１の発明は、通信機を用いた位置検出の対象者に装着される装着キットであって、対象者の位置を検出するための位置検出用情報を外部に発信する第１通信機と、第１通信機を収容する第１収容部が設けられて対象者に装着されるサポーターとを備え、サポーターは、生地によって帯状に形成され、装着対象部位が足首又は腰である。
【０００８】
第２の発明は、第１の発明において、第１通信機で取得された位置検出用情報は、通信回線を介して、位置検出を実行する利用者の情報通信端末に送信され、サポーターに設けられた第２収容部に収容される第２通信機をさらに備え、第２通信機と情報通信端末とは、直接的に近距離無線通信を行い、互いの距離が離間した状態が検出された場合に、情報通信端末から利用者への報知が行われる。
【０００９】
第３の発明は、第２の発明において、サポーターの外面には、第１収容部に相当する第１ポケットと、第２収容部に相当する第２ポケット及び第３ポケットとが設けられ、
サポーターの長さ方向において、第２ポケットと第３ポケットが第１ポケット４１を挟んで配置されている。
【００１０】
第４の発明は、第１乃至第３の何れか１つの発明において、第１通信機は、ＧＰＳ受信機を含み、第１収容部がサポーターの外面に設けられ、サポーターでは第１収容部内の収容空間よりも内側の厚みが８ｍｍ以上である。
【００１１】
第５の発明は、第１乃至第４の何れか１つの発明において、第１通信機は、自身の電力源としてバッテリーを備え、第１通信機は、外部から情報取得要求を受けた場合に位置検出用情報を取得して発信すると共に、所定の時間間隔で位置検出用情報を自動的に取得して発信する。
【００１２】
第６の発明は、第１乃至第４の何れか１つの発明において、サポーターは、第１収容部の形成部位が他の部位に比べて幅広に形成された足首用サポーターである。
【００１３】
第７の発明は、第１乃至第６の何れか１つの発明において、サポーターは、腰用サポーターである。
【００１４】
第８の発明は、通信機を用いた位置検出の対象者に装着されるサポーターであって、対象者の位置を検出するための位置検出用情報を外部に発信する通信機を収容する収容部が設けられており、生地によって帯状に形成され、装着対象部位が足首又は腰である。
【発明の効果】
【００１５】
第１及び第８の各発明では、対象者の位置を検出するための第１通信機がサポーターの第１収容部に収容され、そのサポーターが対象者に装着される。サポーターは、生地によって帯状に形成されている。ここで、本願発明者は、生地によって帯状に形成された柔軟なサポーターを足首又は腰に装着した場合に、少し時間が経てば装着感がほとんどなくなることに気が付いた。そのため、サポーターは、徘徊の虞がある対象者に装着したとしても、対象者自身によって取り外される虞が小さい。従って、サポーターには、容易に取り外すことができないようにする構造を設ける必要がない。第１及び第８の各発明によれば、対象者自身によって取り外される虞が小さく、対象者に対する取り付け及び取り外しが容易な装着キットを提供することができる。
【００１６】
また、第２の発明では、位置検出を実行する利用者の情報通信端末から対象者（サポーターの第２収容部に収容された第２通信機）が離間した場合に利用者に報知される。第２の発明では、例えば対象者が建物から外出した場合に離間状態として検出され、利用者は、対象者が建物から外出したことを直ちに把握することができる。
【００１７】
また、第３の発明では、サポーターの長さ方向において第１ポケット４１を挟んで第２ポケットと第３ポケットが第２収容部として設けられている。例えば、サポーター３３の巻き付け方などに応じて第２ポケットと第３ポケットとから第２通信機３２を収容するポケットを選択することで、サポーターを適切に取り付けることができる。
【００１８】
また、第４の発明では、サポーターにおいて、第１収容部内の収容空間よりも内側の厚みが８ｍｍ以上である。ここで、本願発明者は、装着キットを試作する過程で、ＧＰＳ受信機と装着者との距離が近すぎる場合、ＧＰＳ受信機の電波が人体に影響を与える虞があることに気が付き、サポーターにおいて第１収容部内の収容空間よりも内側の厚みを増した。第４の発明によれば、ＧＰＳ受信機による人体への影響が小さい装着キットを提供することができる。
【００１９】
また、第５の発明では、外部から情報取得要求を受けたタイミングで、第１通信機から位置検出用情報が発信される。この場合、対象者の位置をリアルタイムで把握できる。一方、所定の時間間隔で位置検出用情報が発信されることで、対象者の移動軌跡を把握できる。ここで、対象者の移動軌跡を把握しつつ対象者の位置をリアルタイムで把握しようとした場合、第１通信機が位置検出用情報を逐次に取得して発信する処理を継続することが考えられる。しかし、この場合は、第１通信機での電力消費量が多くなり、バッテリーが大型化する。それに対し、第５の発明では、対象者の位置をリアルタイムで把握するための位置検出用情報の発信と、対象者の移動軌跡を把握するための位置検出用情報の発信とが分けられており、対象者の移動軌跡を把握するためのインターバル（所定の時間間隔）を長くすることで、電力消費量を抑制することができる。従って、バッテリーのコンパクト化を実現することができる。
【００２０】
また、第６の発明では、サポーターの装着対象部位が足首であり、対象者の足首の動きを安定化させることができる。特に、第１収容部の形成部位が他の部位に比べて幅広に形成されており、その幅広の部位によって対象者の足首の動きをしっかりと安定化させることができる。
【００２１】
また、第７の発明では、サポーターの装着対象部位が腰であり、対象者の腰を楽な状態に維持することができる。
【図面の簡単な説明】
【００２２】
【図１】実施形態に係る位置検出システムの構成を表す模式図
【図２】装着キットの構成を表す模式図
【図３】情報通信端末における処理の流れを示すフローチャート
【図４】第２端末における画面遷移を示す図
【図５】その他の実施形態に係る腰用サポーターの正面図
【発明を実施するための形態】
【００２３】
以下、図１−図５を参照しながら、本発明の実施形態を詳細に説明する。なお、以下の実施形態は、本発明の一例であって、本発明、その適用物、あるいはその用途の範囲を制限することを意図するものではない。
【００２４】
［１．位置検出システムの構成等について］
位置検出システム１０は、ＧＰＳ（Global Positioning System）を利用して登録者１２の位置を検索できるシステムである。登録者１２は、徘徊する虞がある人（例えば、認知症の患者、高齢者）である。以下では、登録者１２が介護施設に居住している場合を例にして説明を行う。
【００２５】
位置検出システム１０は、図１に示すように、位置検索の対象者である登録者１２に装着される装着キット３０と、位置検出システム１０の管理者が使用する管理サーバ１８と、位置検出システム１０を利用して位置検索を行う検索利用者（登録者１２の家族、登録者１２が居住する介護施設の従業者など）が使用する情報通信端末２０ａ，２０ｂとを備えている。以下では、登録者１２の家族が使用する情報通信端末２０ａを「第１端末」と言い、介護施設で使用される情報通信端末２０ｂを「第２端末」と言う場合がある。
【００２６】
装着キット３０は、図２に示すように、登録者１２の位置情報（位置検出用情報）を取得して外部に発信する第１通信機３１と、第１端末２０ａ又は第２端末２０ｂと直接的に近距離無線通信を行う第２通信機３２と、両通信機３１，３２を収容する収容部４１〜４３が設けられたサポーター３３とを備えている。本実施形態では、サポーター３３は足首用サポーターである。管理サーバ１８と各端末２０ａ，２０ｂと第１通信機３１とは、インターネット１５（通信回線）を介して互いに接続されている。
【００２７】
まず利用者登録について説明を行う。位置検出システム１０では、登録者１２に関する情報（登録者情報）を第１端末２０ａ又は第２端末２０ｂから管理サーバ１８に送信することによって利用者登録を行う。登録者情報は、例えば、登録者１２自身の情報（氏名、性別、年齢、住所など）と、連絡先の情報（例えば、登録者１２の家族の情報（氏名、住所、電話番号など））と、登録者１２の位置検索の際に管理サーバ１８に接続される情報通信端末２０ａ，２０ｂの情報（メールアドレス、ＩＰアドレスなど）などを含む。管理サーバ１８では、登録者情報がデータベース１９に格納される。データベース１９は、複数人の登録者１２についての登録者情報を格納可能となっている。利用者登録の際には、第１端末２０ａには第１プログラムがインストールされ、第２端末２０ｂには第２プログラムがインストールされる。
【００２８】
また、管理サーバ１８には、管理用プログラムがインストールされている。管理サーバ１８は、図１に示すように、機能ブロックとして、登録者１２毎に位置情報をデータベース１９に格納する位置情報処理部１８ａと、外部とインターネット通信を行うための通信部１８ｂとを備えている。各機能ブロックは、例えば、管理サーバ１８のＣＰＵが管理用プログラムを実行及び解釈することによって実現される。
【００２９】
ここで、第１通信機３１は、ＧＰＳ受信部とインターネット通信部とを備えている。ＧＰＳ受信部は、少なくとも３つのＧＰＳ衛星１４から受信した電波に基づいて、自身の位置を登録者１２の位置情報として算出する。そして、この算出が行われると、インターネット通信部が、インターネット１５を介して、ＧＰＳ受信部によって算出された位置情報を含むサーバ向け情報を管理サーバ１８に送信する。以下では、位置情報の算出と、その位置情報を含むサーバ向け情報の送信との一連の処理を「情報取得・送信処理」という。
【００３０】
サーバ向け情報は、登録者１２の位置情報に加えて、登録者１２の識別情報と、位置情報を算出した時点の時刻情報とを含む。管理サーバ１８では、通信部１８ｂがサーバ向け情報を受信する。そうすると、位置情報処理部１８ａは、データベース１９のうち識別情報に対応する登録者１２のデータ格納領域に、時刻情報と共に位置情報を格納する位置情報格納処理を行う。
【００３１】
位置検出システム１０では、登録者１２の最新の位置情報をほぼリアルタイム（短周期）で逐次取得する第１モードと、第１モードに比べて位置情報の取得周期が長い第２モードとが準備されている。第１モードでは、第１周期（例えば１０秒間隔）で登録者１２の位置情報が取得される。第２モードでは、第２周期（例えば４分間隔）で登録者１２の位置情報が取得される。なお、第１周期及び第２終期の各々は、情報通信端末２０ａ，２０ｂを用いて変更できるようにしてもよい。
【００３２】
第１モードでは、第１端末２０ａ又は第２端末２０ｂから管理サーバ１８を介して第１通信機３１に情報取得要求が送信される。この場合、第１通信機３１は、直ちに情報取得・送信処理を行い、位置情報（リアルタイムの位置情報）を算出し、リアルタイムの位置情報を含むサーバ向け情報を管理サーバ１８に送信する。管理サーバ１８は、サーバ向け情報を受信すると、上述した位置情報格納処理を行うと共に、情報取得要求を発信した第１端末２０ａ又は第２端末２０ｂにリアルタイムの位置情報を送信する。第１通信機３１は、第１周期で情報取得・送信処理を行う。
【００３３】
第２モードでは、第１通信機３１に設定された第２終期の終了タイミングが到来する度に、第１通信機３１が自動的に情報取得・送信処理を行う。管理サーバ１８は、第２終期と同じ時間間隔で第１通信機３１からサーバ向け情報を受信する。管理サーバ１８では、サーバ向け情報を受信する度に位置情報格納処理が行われ、その結果、データベース１９における各登録者１２のデータ格納領域には位置情報が時系列に蓄積される。以下では、各登録者１２のデータ格納領域に格納される時系列の位置情報を「時系列情報」と言う。なお、第２終期の終了タイミングが到来したか否かの判定には、第１通信機３１にタイマーを設けてもよいし、ＧＰＳ衛星１４の電波に含まれる時刻情報を用いてもよい。
【００３４】
第２通信機３２は、近距離無線通信（本実施形態では、ブルートゥース（登録商標）通信規格を利用した通信）を行う通信機である。第２通信機３２は、ブルートゥース（登録商標）通信規格に対応した第１端末２０ａ又は第２端末２０ｂとペアリング設定を行うことで、ペアリング設定を行った端末２０ａ，２０ｂ（以下、「ペアリング端末」と言う場合がある。）と近距離無線通信を行うことができるようになる。ペアリング端末２０ａ，２０ｂでは第２通信機３２用のプログラムが実行され、これによりペアリング端末２０ａ，２０ｂと第２通信機３２との間では短周期で近距離無線通信が行われる。また、ペアリング端末２０ａ，２０ｂは、第２通信機３２からの電波を検出したか否かを判定し、第２通信機３２からの電波を検出できなくなったタイミングで、第２通信機３２が離間した離間状態であると判定する。この場合、ペアリング端末２０ａ，２０ｂは、例えば音や画面表示によって、検索利用者に登録者１２が離間したことを報知する。
【００３５】
［２．装着キットの構成等について］
図２を用いて装着キット３０の構成などについて詳細に説明を行う。上述したように、装着キット３０は、第１通信機３１と第２通信機３２とサポーター３３とを備えている。
【００３６】
第１通信機３１では、板状の筐体の中にＧＰＳ受信部とインターネット通信部とバッテリーとが収容されている。バッテリーは、ＧＰＳ受信部とインターネット通信部とに電力を供給する。バッテリーへの充電は、筐体から外部へ延び出る接続コード３５（本実施形態では、ＵＳＢコード）を介して行われる。
【００３７】
第２通信機３２では、円板状の筐体の中に近距離無線用の通信機が収容されている。第２通信機３２は、第１通信機３１に比べて筐体が小さい。第２通信機３２には、ペアリング端末２０ａ，２０ｂから音発生の指令を受けた場合に音を発するスピーカーも収容されている。
【００３８】
サポーター３３は、生地（織布、不織布など）によって形成された足首用サポーターである。サポーター３３は、図２に示すように、中央部分４５が幅広に形成された帯状のサポーターであり、左右対称に形成されている。サポーター３３には、厚さ方向に膨らみを持たせてクッション性が付与されている。
【００３９】
サポーター３３では、中央部分４５の外面に第１〜第３ポケット４１〜４３が設けられている。第１ポケット４１は第１収容部に相当し、第２ポケット４２と第３ポケット４３の各々は第２収容部に相当する。サポーター３３では、丸みを有する端部を除いて幅が一様の一端側部分４６と他端側部分４７とが、中央部分４５の一端側又は他端側からそれぞれ延びている。一端側部分４６と他端側部分４７との各々の裏面には、面ファスナー（フック領域）が設けられている。サポーター３３の表面は、面ファスナーを貼り付けることができる素材が用いられている。サポーター３３は、面ファスナーを利用して足首に巻き付けて装着される。
【００４０】
サポーター３３では、第１ポケット４１が最も大きい。第２ポケット４２と第３ポケット４３は、同じ大きさである。サポーター３３では、その長さ方向に３つのポケット４１〜４３が並んで配置されている。具体的に、第２ポケット４２は、第１ポケット４１の一端側（図２における右側）の近傍に配置されている。第３ポケット４３は、第１ポケット４１の他端側（図２における左側）の近傍に配置されている。第２ポケット４２と第３ポケット４３は、第１ポケット４１を挟んで対称に配置されている。各ポケット４１〜３３には、面ファスナーによってポケット４１〜４３の外面に着脱可能な布状の蓋（フラップ）が設けられている。
【００４１】
装着キット３０では、第１ポケット４１に第１通信機３１が収容され、第２ポケット４２又は第３ポケット４３の何れかに第２通信機３２が収容される。サポーター３３を足首に巻き付ける際に、例えば、図２において右側の一端側部分４６の裏面を第３ポケット４３の表面に貼り付ける場合は、第２ポケット４２に第２通信機３２を収容する。また、図２において左側の他端側部分４７の裏面を第２ポケット４２の表面に貼り付ける場合は、第３ポケット４３に第２通信機３２を収容する。本実施形態では、サポーター３３の巻き付け方に応じて、第２通信機３２を収容するポケット４２，４３を選択することができる。
【００４２】
また、サポーター３３では、第１ポケット４１内の収容空間よりも内側の厚みが８ｍｍ以上である。なお、この厚みは、サポーター３３を静置した状態での値であり、好ましくは１０ｍｍ以上であり、さらに好ましくは１２ｍｍ以上である。第１ポケット４１は、収容空間よりも内側の厚みが第２ポケット４２及び第３ポケット４３よりも大きい。本実施形態では、第１ポケット４１の内側に厚みを持たせることで、第１通信機３１のＧＰＳ受信部による人体への影響が小さくなるようにしている。
【００４３】
［３．位置検出システムの動作について］
図３のフローチャートなどを用いて位置検出システム１０の動作について説明を行う。以下では、各端末２０ａ，２０ｂを用いた場合についてそれぞれ説明を行う。
【００４４】
まず第１端末２０ａを用いた場合について説明する。第１端末２０ａでは、第１プログラムを起動させると、モード選択画面が表示される。モード選択画面には、第１モードに設定するための第１ボタンと、第２モードに設定するための第２ボタンとが表示される。検索利用者は、第１ボタンと第２ボタンとの何れかをクリックして選択することができる。第１端末２０ａは、ステップＳＴ１において、第１モードと第２モードとのどちらが選択されたのかを判定する。
【００４５】
ステップＳＴ１において第１モードが選択されたと判定された場合、ステップＳＴ２において、第１端末２０ａから管理サーバ１８を介して第１通信機３１に、情報取得要求が送信される。第１通信機３１は、情報取得要求を受信すると直ちに情報取得・送信処理を行い、その後は第１周期で情報取得・送信処理を行う。第１端末２０ａは、第１周期と同じ時間間隔で位置情報（リアルタイムの位置情報）を受信し、ステップＳＴ３において、最新の位置情報に応じて、第１端末２０ａの画面に表示する地図上において登録者１２の位置を更新する。第１端末２０ａは、ステップＳＴ４において、第１モードの開始から所定時間が経過したか否かを判定する。そして、第１モードの開始から所定時間が経過したと判定された場合に、第１モードを終了する。第１モードは、開始から所定時間が経過すると自動的に終了する。
【００４６】
一方、ステップＳＴ１において第２モードが選択されたと判定された場合、ステップＳＴ５において、第１端末２０ａから管理サーバ１８に時系列情報の取得要求が送信される。そうすると、管理サーバ１８は、データベース１９から登録者１２の時系列情報（第２周期間隔での複数の位置情報（直近から複数個の位置情報））を読み取り、第１端末２０ａに送信する。第１端末２０ａは、登録者１２の時系列情報を受信し、ステップＳＴ６において、時系列情報に応じて、第１端末２０ａの画面に表示する地図上において登録者１２の移動軌跡を表示する。
【００４７】
続いて第２端末２０ｂを用いた場合について説明する。第２端末２０ｂでは、第２プログラムを起動させると、図４（ａ）に示す管理画面５１が表示される。管理画面５１では、複数の登録者１２が表形式で記載された一覧表５２が表示される。一覧表５２は、何れかの登録者１２をクリックして選択できるようになっている。なお、特定の登録者１２を探す場合には、登録者１２の名前を入れて検索できるようにもなっている。
【００４８】
一覧表５２又は検索によって一人の登録者１２を選択した場合、図４（ｂ）に示す登録情報表示画面５３が表示される。登録情報表示画面５３には、選択された登録者１２の登録者情報とともに、地図画面への切替ボタン５４が表示される。検索利用者は、管理画面５１で選択した登録者１２に誤りがないかを確認した上で、切替ボタン５４をクリックすることができる。切替ボタン５４がクリックされると、第２端末２０ｂは第２モードの処理を行う。第２端末２０ｂの画面には、図４（ｃ）に示す地図画面５５が表示される。地図画面５５では、地図上に登録者１２が存在する位置５６（直近の位置情報に対応する位置）と共に、登録者１２の移動軌跡が表示される。なお、第２端末２０ｂでも、図示しない第１モードへの切替ボタンをクリックすることで、第１モードの処理を実行することができる。
【００４９】
［４．実施形態の効果など］
本実施形態では、登録者１２の位置を検出するための第１通信機３１がサポーター３３の第１収容部４１に収容され、そのサポーター３３が登録者１２に装着される。サポーター３３は、生地によって帯状に形成された柔軟なサポーターである。上述したように、サポーター３３を足首に装着して少し時間が経てば、装着感がほとんどなくなる。従って、サポーター３３には、容易に取り外すことができないようにする構造を設ける必要がない。本実施形態によれば、登録者１２自身によって取り外される虞が小さく、登録者１２に対する取り付け及び取り外しが容易な装着キット３０を提供することができる。
【００５０】
また、本実施形態では、登録者１２の位置検索を行う検索利用者の情報通信端末２０ａ，２０ｂから登録者１２（サポーター３３の第２収容部４２，４３に収容された第２通信機３２）が離間した場合に検索利用者に報知される。本実施形態では、登録者１２が建物から外出した場合に離間状態として検出され、検索利用者は、登録者１２が建物から外出したことを直ちに把握することができる。
【００５１】
また、本実施形態では、登録者１２の位置をリアルタイムで把握するための第１モードと、登録者１２の移動軌跡を把握するための第２モードとが設けられており、登録者１２の移動軌跡を把握するためのインターバル（第２周期）を長くすることで、電力消費量を抑制することができる。従って、バッテリーのコンパクト化を実現することができる。
【００５２】
また、本実施形態では、サポーター３３の装着対象部位が足首であり、特に第１〜第３ポケット４１〜４３の形成部位が他の部位に比べて幅広に形成されているため、その幅広の部位によって登録者１２の足首の動きをしっかりと安定化させることができる。
【００５３】
［５．その他の実施形態］
上述の実施形態において、サポーター３３は、図５に示す腰用サポーターであってもよい。腰用サポーター３３は、丸みを有する端部を除くほぼ全長に亘って幅が一様である。腰用サポーター３３の外面には、足首用サポーターと同様の第１〜第３ポケット４１〜４３がフラップと共に設けられている。第１ポケット４１内の収容空間よりも内側の厚みも８ｍｍ以上（好ましくは１０ｍｍ以上であり、さらに好ましくは１２ｍｍ以上）となっている。
【００５４】
上述の実施形態において、第１通信機３１は、識別情報を含む位置検出用情報を発信するＲＦタグ又はＩＣタグであってもよい。この場合、市街地や建物内に多数の検知器が配置される。登録者１２の位置は、第１通信機３１の位置検出用情報を検知した検知器の場所によって把握できる。
【００５５】
上述の実施形態において、サポーター３３は、リング帯状（無端の帯状）のサポーターであってもよい。
【００５６】
上述の実施形態において、登録者１２が子供であってもよい。
【産業上の利用可能性】
【００５７】
本発明は、徘徊する虞がある人などを対象者とした位置検出システム等に適用可能である。
【符号の説明】
【００５８】
１０    位置検出システム
１２    登録者（対象者）
１８    管理サーバ
２０ａ  情報通信端末、第１端末
２０ｂ  情報通信端末、第２端末
３０    装着キット
３１    第１通信機
３２    第２通信機
３３    サポーター
４１    第１ポケット（第１収容部）
４２    第２ポケット（第２収容部）
４３    第３ポケット（第２収容部）
【図１】
2018190309.tif 000003
【図２】
2018190309.tif 000004
【図３】
2018190309.tif 000005
【図４】
2018190309.tif 000006
【図５】
2018190309.tif 000007